(57)【要約】【課題】医用画像診断装置を操作したときの操作履歴および操作に対して医用画像診断装置がどのように反応したかの履歴を記録する。【解決手段】医用画像診断装置（Ａ）の医用画像診断装置本体（Ｂ）からモニタ（Ｃ）へ出力されるモニタ出力ｍが入力されるモニタ出力入力部（１）と、モニタ出力入力部（１）に入力されたモニタ出力ｍをビデオ信号ｖに変換する信号変換部（２）と、ビデオ信号ｖをビデオ信号記録媒体に記録したり記録したビデオ信号ｖを再生してモニタ（６）に表示するビデオ信号記録・再生部（３）と、全体の動作を制御する制御部（４）と、操作者の指示ｃを受け付ける指示入力部（５）とを具備する。【効果】トラブル発生時の状態を正確に証明したり、解析したりすることが出来る。【選択図】図１
2008023008.tif 000002
【特許請求の範囲】
【請求項１】
医用画像診断装置用モニタへ出力されるモニタ出力が入力されるモニタ出力入力部と、前記モニタ出力入力部に入力されたモニタ出力をビデオ信号に変換する信号変換部と、前記ビデオ信号を記録するビデオ信号記録部と、ビデオ信号の記録開始と記録停止とを制御する制御部とを具備したことを特徴とする医用画像診断装置用モニタ出力ビデオ化記録装置。
【請求項２】
請求項１に記載の医用画像診断装置用モニタ出力ビデオ化記録装置において、医用画像診断装置がアクティブ状態か否かを通知する医用画像診断装置からの状態信号が入力される状態信号入力部を具備し、前記制御部は、前記状態信号により前記医用画像診断装置がアクティブ状態にあると判定したときは前記ビデオ信号記録部でのビデオ信号の記録を実行し、前記医用画像診断装置がアクティブ状態にないと判定したときは前記ビデオ信号記録部でのビデオ信号の記録を停止することを特徴とする医用画像診断装置用モニタ出力ビデオ化記録装置。
【請求項３】
請求項１または請求項２に記載の医用画像診断装置用モニタ出力ビデオ化記録装置において、医用画像診断装置が特定エラー状態か否かを通知する医用画像診断装置からの状態信号が入力される状態信号入力部を具備し、前記制御部は、前記状態信号により前記医用画像診断装置が特定エラー状態になったと判定した時は少なくともその時より所定時間前からその時までに記録されたビデオ信号が消去されないように保護することを特徴とする医用画像診断装置用モニタ出力ビデオ化記録装置。
【請求項４】
請求項１から請求項３のいずれかに記載の医用画像診断装置用モニタ出力ビデオ化記録装置において、操作者の指示を受け付ける指示入力部を具備し、前記制御部は、前記指示入力部に入力された指示時間帯に記録されたビデオ信号が消去されないように保護することを特徴とする医用画像診断装置用モニタ出力ビデオ化記録装置。
【請求項５】
請求項１から請求項４のいずれかに記載の医用画像診断装置用モニタ出力ビデオ化記録装置において、操作者の指示を受け付ける指示入力部を具備し、前記制御部は、前記指示入力部に入力された予約時間帯のビデオ信号を記録することを特徴とする医用画像診断装置用モニタ出力ビデオ化記録装置。
【請求項６】
請求項５に記載の医用画像診断装置用モニタ出力ビデオ化記録装置において、前記制御部は、前記指示入力部に予約録画ロックの指示が入力された時は前記予約時間帯に記録したビデオ信号が消去されないように保護することを特徴とする医用画像診断装置用モニタ出力ビデオ化記録装置。
【請求項７】
請求項１から請求項６のいずれかに記載の医用画像診断装置用モニタ出力ビデオ化記録装置において、操作者の指示を受け付ける指示入力部を具備し、前記制御部は、前記指示入力部に記録開始の指示が入力された時はビデオ信号の記録を開始し、前記指示入力部に記録停止の指示が入力された時はビデオ信号の記録を停止することを特徴とする医用画像診断装置用モニタ出力ビデオ化記録装置。
【請求項８】
請求項１から請求項７のいずれかに記載の医用画像診断装置用モニタ出力ビデオ化記録装置において、前記ビデオ信号記録部は、磁気テープまたは磁気ディスクまたは光磁気ディスクまたは光ディスクにビデオ信号を記録することを特徴とする医用画像診断装置用モニタ出力ビデオ化記録装置。
【発明の詳細な説明】
【技術分野】
【０００１】
本発明は、医用画像診断装置用モニタ出力ビデオ化記録装置に関し、さらに詳しくは、ＭＲＩ（Magnetic Resonance Imaging）装置，Ｘ線ＣＴ（Computed Tomography）装置，超音波診断装置などの医用画像診断装置を操作したときの操作履歴および操作に対して医用画像診断装置がどのように反応したかの履歴を記録することが出来る医用画像診断装置用モニタ出力ビデオ化記録装置に関する。
【背景技術】
【０００２】
従来、ある被検体の医用画像または撮像条件を、該被検体の情報と対応付けて記録する記録手段を具備した医用画像診断装置が知られている（例えば、特許文献１参照。）。
【特許文献１】特開２００６−１４１５０６号公報
【発明の開示】
【発明が解決しようとする課題】
【０００３】
上記従来の医用画像診断装置では、操作者が医用画像診断装置を操作したときの操作履歴の記録も可能であった。
しかし、操作に対して医用画像診断装置がどのように反応したかの履歴は記録できなかったため、トラブル発生時の状態を正確に証明したり解析したりするための記録としては不十分であった。
そこで、本発明の目的は、操作者が医用画像診断装置を操作したときの操作履歴および操作に対して医用画像診断装置がどのように反応したかの履歴を記録することが出来る医用画像診断装置用モニタ出力ビデオ化記録装置を提供することにある。
【課題を解決するための手段】
【０００４】
第１の観点では、本発明は、医用画像診断装置用モニタへ出力されるモニタ出力が入力されるモニタ出力入力部と、前記モニタ出力入力部に入力されたモニタ出力をビデオ信号に変換する信号変換部と、前記ビデオ信号を記録するビデオ信号記録部と、ビデオ信号の記録開始と記録停止とを制御する制御部とを具備したことを特徴とする医用画像診断装置用モニタ出力ビデオ化記録装置を提供する。
上記第１の観点による医用画像診断装置用モニタ出力ビデオ化記録装置では、医用画像診断装置のモニタ（Monitor）画面に表示された画像をビデオ信号で記録する。従って、操作者が医用画像診断装置を操作したときの操作履歴だけでなく、操作に対して医用画像診断装置がどのように反応したかの履歴をも記録することが出来る。これにより、トラブル発生時の状態を正確に証明したり、解析したりすることが出来る。
【０００５】
第２の観点では、本発明は、前記第１の観点による医用画像診断装置用モニタ出力ビデオ化記録装置において、医用画像診断装置がアクティブ状態か否かを通知する医用画像診断装置からの状態信号が入力される状態信号入力部を具備し、前記制御部は、前記状態信号により前記医用画像診断装置がアクティブ状態にあると判定したときは前記ビデオ信号記録部でのビデオ信号の記録を実行し、前記医用画像診断装置がアクティブ状態にないと判定したときは前記ビデオ信号記録部でのビデオ信号の記録を停止することを特徴とする医用画像診断装置用モニタ出力ビデオ化記録装置を提供する。
上記第２の観点による医用画像診断装置用モニタ出力ビデオ化記録装置では、医用画像診断装置がアクティブ状態にないときのモニタ出力すなわち無駄な情報の記録を回避することが出来る。
【０００６】
第３の観点では、本発明は、前記第１または前記第２の観点による医用画像診断装置用モニタ出力ビデオ化記録装置において、医用画像診断装置が特定エラー状態か否かを通知する医用画像診断装置からの状態信号が入力される状態信号入力部を具備し、前記制御部は、前記状態信号により前記医用画像診断装置が特定エラー状態になったと判定した時は少なくともその時より所定時間前からその時までに記録されたビデオ信号が消去されないように保護することを特徴とする医用画像診断装置用モニタ出力ビデオ化記録装置を提供する。
上記第３の観点による医用画像診断装置用モニタ出力ビデオ化記録装置では、特定エラー状態になった時までの所定時間の記録を保護するため、特定エラー状態になった時までの操作履歴および医用画像診断装置の反応を証拠として確実に残すことが出来る。
【０００７】
第４の観点では、本発明は、前記第１から前記第３のいずれかの観点による医用画像診断装置用モニタ出力ビデオ化記録装置において、操作者の指示を受け付ける指示入力部を具備し、前記制御部は、前記指示入力部に入力された指示時間帯に記録されたビデオ信号が消去されないように保護することを特徴とする医用画像診断装置用モニタ出力ビデオ化記録装置を提供する。
上記第４の観点による医用画像診断装置用モニタ出力ビデオ化記録装置では、操作者が入力したロック開始時刻からロック終了時刻までの記録を保護するため、所望の期間の操作履歴および医用画像診断装置の反応を証拠として確実に残すことが出来る。
【０００８】
第５の観点では、本発明は、前記第１から前記第４のいずれかの観点による医用画像診断装置用モニタ出力ビデオ化記録装置において、操作者の指示を受け付ける指示入力部を具備し、前記制御部は、前記指示入力部に入力された予約時間帯のビデオ信号を記録することを特徴とする医用画像診断装置用モニタ出力ビデオ化記録装置を提供する。
上記第５の観点による医用画像診断装置用モニタ出力ビデオ化記録装置では、操作者が予め入力した予約時間帯の操作履歴および医用画像診断装置の反応を記録して残すことが出来る。
【０００９】
第６の観点では、本発明は、前記第５の観点による医用画像診断装置用モニタ出力ビデオ化記録装置において、前記制御部は、前記指示入力部に予約録画ロックの指示が入力された時は前記予約時間帯に記録したビデオ信号が消去されないように保護することを特徴とする医用画像診断装置用モニタ出力ビデオ化記録装置を提供する。
上記第６の観点による医用画像診断装置用モニタ出力ビデオ化記録装置では、操作者が予め入力した予約時間帯の操作履歴および医用画像診断装置の反応を証拠として確実に残すことが出来る。
【００１０】
第７の観点では、本発明は、前記第１から前記第６のいずれかの観点による医用画像診断装置用モニタ出力ビデオ化記録装置において、操作者の指示を受け付ける指示入力部を具備し、前記制御部は、前記指示入力部に記録開始の指示が入力された時はビデオ信号の記録を開始し、前記指示入力部に記録停止の指示が入力された時はビデオ信号の記録を停止することを特徴とする医用画像診断装置用モニタ出力ビデオ化記録装置を提供する。
上記第７の観点による医用画像診断装置用モニタ出力ビデオ化記録装置では、所望の期間の操作履歴および医用画像診断装置の反応を証拠として確実に残すことが出来る。
【００１１】
第８の観点では、本発明は、前記第１から前記第７のいずれかの観点による医用画像診断装置用モニタ出力ビデオ化記録装置において、前記ビデオ信号記録部は、磁気テープまたは磁気ディスクまたは光磁気ディスクまたは光ディスクにビデオ信号を記録することを特徴とする医用画像診断装置用モニタ出力ビデオ化記録装置を提供する。
上記第８の観点による医用画像診断装置用モニタ出力ビデオ化記録装置では、汎用の記録媒体に記録することが出来るので、他の装置での読み出しが容易になる。
【発明の効果】
【００１２】
本発明の医用画像診断装置用モニタ出力ビデオ化記録装置によれば、操作者が医用画像診断装置を操作したときの操作履歴だけでなく、操作に対して医用画像診断装置がどのように反応したかの履歴をも記録することが出来るので、トラブル発生時の状態を正確に証明したり、解析したりすることが出来る。
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１にかかる医用画像診断装置用モニタ出力ビデオ化記録装置１０を示すブロック図である。
この医用画像診断装置用モニタ出力ビデオ化記録装置１０は、医用画像診断装置Ａの医用画像診断装置本体ＢからモニタＣへ出力されるモニタ出力ｍが入力されるモニタ出力入力部１と、モニタ出力入力部１に入力されたモニタ出力ｍをビデオ信号ｖに変換する信号変換部２と、ビデオ信号ｖをビデオ信号記録媒体に記録したり記録したビデオ信号ｖを再生してモニタ６に表示するビデオ信号記録・再生部３と、全体の動作を制御する制御部４と、操作者の指示ｃを受け付ける指示入力部５とを具備している。
【００１５】
モニタ出力ｍは、例えばＲＧＢ信号である。
ビデオ信号ｖは、例えばＮＴＳＣ信号である。
ビデオ信号記録媒体は、例えば磁気テープまたは磁気ディスクまたは光磁気ディスクまたは光ディスクである。
【００１６】
図２は、医用画像診断装置用モニタ出力ビデオ化記録装置１０によるモニタ出力ビデオ化記録処理を示すフロー図である。
ステップＰ１では、操作者が選択した動作モードが「自動」モードか「予約」モードか「手動」モードかを判定し、「自動」モードならステップＰ２へ進み、「予約」モードならステップＰ１２へ進み、「手動」モードならステップＰ２２へ進む。
【００１７】
ステップＰ２では、状態信号ｓを基に医用画像診断装置Ａが「アクティブ」状態か否かを判定し、「アクティブ」状態ならステップＰ３へ進み、「アクティブ」状態でないならステップＰ４へ進む。
【００１８】
ステップＰ３では、ビデオ信号ｖの記録を開始または記録を継続する。そして、ステップＰ５へ進む。
【００１９】
ステップＰ４では、ビデオ信号ｖの記録を停止または停止を継続する。そして、ステップＰ５へ進む。
【００２０】
ステップＰ５では、状態信号ｓを基に医用画像診断装置Ａが「特定エラー」状態か否かを判定し、「特定エラー」状態ならステップＰ６へ進み、「特定エラー」状態でないならステップＰ７へ進む。
【００２１】
ステップＰ６では、所定時間前から現在までのビデオ信号ｖの記録が消去されないように保護する。
【００２２】
ステップＰ７では、記録ロックの指示がされているか否かを判定し、記録ロックの指示がされているならステップＰ８へ進み、記録ロックの指示がされていないならステップＰ９へ進む。
【００２３】
ステップＰ８では、記録ロックの指示で選択された「ロック開始時刻」から「ロック終了時刻」までの指示期間のビデオ信号ｖの記録が消去されないように保護する。なお、「ロック開始時刻」や「ロック終了時刻」は、例えば「現在から所定時間前」や「現在」や「現在から所定時間後」である。
【００２４】
ステップＰ９では、予約ロックの指示がされているか否かを判定し、予約ロックの指示がされているならステップＰ１０へ進み、予約ロックの指示がされていないならステップＰ１に戻る。
【００２５】
ステップＰ１０では、予約ロックの指示で選択された予約期間のビデオ信号ｖの記録が消去されないように保護する。そして、ステップＰ１に戻る。
【００２６】
ステップＰ１２では、現時刻が予約時間帯内か否かを判定し、予約時間帯内ならステップＰ１３へ進み、予約時間帯外ならステップＰ１４へ進む。
【００２７】
ステップＰ１３では、ビデオ信号ｖの記録を開始または記録を継続する。そして、ステップＰ５に戻る。
【００２８】
ステップＰ１４では、ビデオ信号ｖの記録を停止または停止を継続する。そして、ステップＰ５に戻る。
【００２９】
ステップＰ２２では、記録開始の指示が入力されたか否かを判定し、記録開始の指示が入力されたならステップＰ２３へ進み、記録開始の指示が入力されてないならステップＰ２４へ進む。
【００３０】
ステップＰ２３では、ビデオ信号ｖの記録を開始または記録を継続する。そして、ステップＰ２４へ進む。
【００３１】
ステップＰ２４では、記録停止の指示が入力されたか否かを判定し、記録停止の指示が入力されたならステップＰ２５へ進み、記録停止の指示が入力されてないならステップＰ５に戻る。
【００３２】
ステップＰ２５では、ビデオ信号ｖの記録を停止または停止を継続する。そして、ステップＰ５に戻る。
【００３３】
実施例１の医用画像診断装置用モニタ出力ビデオ化記録装置１０によれば、医用画像診断装置ＡのモニタＣの画面に表示された画像をビデオ信号で記録するので、操作者が医用画像診断装置Ａを操作したときの操作履歴だけでなく、操作に対して医用画像診断装置Ａがどのように反応したかの履歴をも記録することが出来る。これによって、トラブル発生時の状態を正確に証明したり、解析したりすることが出来る。
【産業上の利用可能性】
【００３４】
本発明の医用画像診断装置用モニタ出力ビデオ化記録装置は、医用画像診断装置を操作したときの操作履歴および操作に対して医用画像診断装置がどのように反応したかの履歴を記録するのに利用することが出来る。
【図面の簡単な説明】
【００３５】
【図１】実施例１にかかる医用画像診断装置用モニタ出力ビデオ化記録装置を示すブロック図である。
【図２】実施例１にかかる医用画像診断装置用モニタ出力ビデオ化記録装置によるモニタ出力ビデオ化記録処理を示すフロー図である。
【符号の説明】
【００３６】
１          モニタ出力入力部
２          信号変換部
３          ビデオ信号記録・再生部
４          制御部
５          指示入力部
６          モニタ
１０        医用画像診断装置用モニタ出力ビデオ化記録装置
Ａ          医用画像診断装置
Ｂ          医用画像診断装置本体
Ｃ          モニタ
ｃ          指示
ｍ          モニタ出力
ｓ          状態信号
ｖ          ビデオ信号
【図１】
2008023008.tif 000003
【図２】
2008023008.tif 000004